(57)【要約】【課題】植物の軟白栽培器具を用いた軟白栽培において、栽培期間中、軟白栽培器具を取って確認することなしに、収穫適期が瞬時に判断でき、作業の省力化と共に栽培作業能率の改善が図れ、さらに奇形を防止し、品質的にも優れた軟白を行える植物の軟白栽培器具を提供する。【解決手段】両端開口部を有する中空の遮光性資材の筒状の支持部材の上方を、植物の茎部の伸長に基づいた押圧力に任せて押し上げられる遮光性資材よりなる可動部材で覆った軟白栽培器具を、植物の萌芽初期の植物体に覆うように設置する。軟白栽培器具の内部で植物が成長し、支持部材の長さを超えると可動部材が植物の押圧力によって押し上げられ上昇し、これにより収穫適期を判断することができる。【発明の効果】本発明によれば、軟白栽培している植物の収穫適期が瞬時にわかり、作業効率が向上し、省力化と奇形防止が同時に実現される。【選択図】図1
2005269948.tif 000002
【特許請求の範囲】
【請求項１】
植物の軟白栽培において、両端開口部を有する中空の遮光性資材の筒状の支持部材の上方を、植物の茎部の伸長に基づいた押圧力に任せて押し上げられるフィルム状の遮光性資材よりなる可動部材で覆った植物の軟白栽培器具。
【請求項２】
植物の軟白栽培において、リング状の支持部材と、植物の茎部の伸長に基づいた押圧力に任せて押し上げられる遮光性資材の可動部材からなる植物の軟白栽培器具。
【請求項３】
植物の軟白栽培において、両端開口部を有する中空の筒状の支持部材の上方を、植物の茎部の伸長に基づいた押圧力に任せて押し上げられる筒状の遮光性資材よりなる可動部材で覆った植物の軟白栽培器具。
【請求項４】
植物の軟白栽培において、両端開口部を有する中空の遮光性資材の筒状の支持部材の上方内部に、植物の茎部の伸長に基づいた押圧力に任せて押し上げられる指示機構を付設させた植物の軟白栽培器具。
【請求項５】
前記、請求項1、請求項2、又は請求項3記載の植物の軟白栽培器具を使用の際、可動部材の頂部を植物の伸長する方向と逆に押し入れ、植物の茎部の伸長に基づいた押圧力によりこの部分が押し上げられることで収穫適期を判断し収穫する栽培方法。
【請求項６】
前記、請求項1、請求項2、請求項3又は請求項4記載の植物の軟白栽培器具を使用し、軟白を行い、収穫した植物を該器具の一部材もしくは全部材によって封入した状態で収穫し、出荷する出荷方法。
【発明の詳細な説明】
【技術分野】
【０００１】
本発明は、植物の軟白栽培器具及びその栽培方法と出荷方法に関するものである。
【背景技術】
【０００２】
例えば、現在行われているホワイトアスパラガスの栽培方法は、春先のアスパラガスが萌芽する前に培土を行い、伸長してくるホワイトアスパラガスによる培土表面の微妙な亀裂を確認後、若茎の頭部の確認をし、次に若茎の伸長方向を確認し、若茎の基部と考えられる部位に長い柄の着いた特殊な切断ノミを差し込み、切断後、若茎を持ち上げて収穫し、収穫後の培土表面のくぼみの修復を行う。収穫したホワイトアスパラガスに傷が着いていたり短かったりする場合は規格外品となり、また近接して萌芽中のホワイトアスパラガスに傷が付かないように収穫せねばならない。さらに、春どりの収穫後は株養成のため立茎させるので、培土を崩さなければならない。このようにホワイトアスパラガスの栽培は多大な手間と労力を要し、収穫時には熟練技術を要する。また、ホワイトアスパラガスは収穫後も受光すると着色変化をするため、品質低下の防止をするためには遮光し続けなければならない。
【０００３】
これまでに特開2003-61461号公報で開示されているように、遮光性資材からなる容器を萌芽した栽培植物にかぶせることを特徴とした植物の軟白栽培方法があり、容器に記載された色もしくは絵柄または示された文字により収穫適期を判断すると開示されている。しかしながら、容器を設置した時期がわかったとしても、収穫期間を通してアスパラガスの成長速度は異なり、また株によっても成長速度に違いがあるため、収穫時期の正確な判断は困難であり、経験則からの収穫日の予想では収穫適期でない植物についても該容器を取り外す場合が生じ、作業能率が低下する問題点がある。また、特開2003-61461号公報において示されているように、容器の上方は閉蓋構造になっており、植物の伸長が予想よりも早い場合、植物の伸長を妨げ、先端が曲がる可能性がある。例えばホワイトアスパラガスでは婉曲した若茎は商品価値が落ちる。
【０００４】
また、特願平10-28466号公報において、奇形防止用グリーンアスパラガス栽培器具が開示されているが、これはグリーンアスパラガスの若茎の成長状況を外観から把握する目的であるため、透光性筒状体であって、遮光が不可能で、軟白を目的としたものでない。
【０００５】
【特許文献１】特開2003-61461
【特許文献２】特願平10-28466
【発明の開示】
【発明が解決しようとする課題】
【０００６】
そこで、本発明は、上記問題点に鑑みなされたもので、植物の軟白栽培において、省力化と収穫適期を経験に基づく予測ではなく、正確に即時判断ができる様にし、作業能率の向上を実現し、さらに商品価値の劣る奇形を防止することを目的としたものである。
【課題を解決するための手段】
【０００７】
上述した目的を達成するため、本発明にあっては、植物の軟白栽培において、萌芽初期の植物に、両端開口部を有する中空の遮光性資材の筒状の支持部材あるいはリング状の支持部材の上方に、植物の茎部の伸長に基づいた押圧力に任せて押し上げられる遮光性資材よりなる可動部材で覆った軟白栽培器具、又は両端開口部を有する中空の遮光性資材の筒状の支持部材の上方内部に、植物の茎部の伸長に基づいた押圧力に任せて押し上げられる指示機構を付設させた植物の軟白栽培器具で目的の植物を覆って軟白を行い、植物の茎部の伸長により押し上げられる該器具の可動部材、又は指示機構の上昇から、植物の収穫適期を判断するようにしたことを特徴とする植物の軟白栽培器具にある。
【０００８】
また、軟白できる構造であれば、支持部材と可動部材の両方の部材に遮光資材を用いる必要はなく、支持部材には植物の成長に妨げとならないもので中空のもので可動部材を支持できるものであれば、形状は限定されず円筒形、円錐台形状、骨組み状の円筒でも良く、植物の軟白栽培器具の姿勢を保持規制するために、脚部を設けることができる。
【０００９】
支持部材の材質については例えばポリエチレン等の合成樹脂類、アルミ等の金属類、紙、木、竹等が挙げられる。
【００１０】
可動部材の材質については、植物の成長の妨げとなり、植物の茎部が曲がるような抵抗を与えるもので無ければ良く、例えばポリエチレン等の合成樹脂類、ゴム、紙等が挙げられる。
【００１１】
また、可動部材と支持部材は、互いに固定しなくとも、図7に示すように、支持部材が可動部材を立脚できるように支えるだけでもよい。
【００１２】
さらに、支持部材に堅質で筒状の資材を用いることで、植物の茎部が支持部材に沿って伸長するため、植物が曲がって伸長することを防止することが可能である。
【００１３】
成長状況を判断する方法は、図1や図4の様に可動部材と支持部材を固定していて、可動部材が植物の茎部の伸長に基づいた押圧力に任せて押し上げられる様な遮光性資材で構成されている植物の軟白栽培器具では、支持部材の中空の内部に、可動部材の頂部を押し込み、この部位が、植物の茎部の伸長による押圧力によって押し上げられることから、植物の長さの判断が可能であり、図7に示すように可動部材と支持部材を固定していない植物の軟白栽培器具であれば、可動部材の頂部を押し込まなくとも図9に示すように、可動部材全体が、植物の茎部の伸長による押圧力により押し上げられることから判断ができ、また、図10の様な、植物の茎部の伸長に基づいた押圧力に任せて押し上げられる指示機構18を付設させたものであれば図12に示すように、植物の茎部の伸長による押圧力により押し上げられる指示機構18の目印用部材14から判断ができる。
【００１４】
また、植物を収穫後、本器具を包装容器としても使用可能であり、収穫と包装作業が一度に行うことも可能で、作業能率の向上が図れ、更に輸送時の植物の受光による品質低下の防止にも役立てることができる。
【発明を実施するための最良の形態】
【００１５】
次に以下に実施態様についてアスパラガスの軟白栽培の場合を例に、図面を参照しながら図面の参照符号を用いて説明する。
【実施例１】
【００１６】
図１は、本発明の第1実施形態の植物の軟白栽培器具１を示す。この植物の軟白栽培器具1は、可動部材1と支持部材2からなる。可動部材1は、遮光性を有する、20cm〜40cm四方のフィルム状の資材で、具体的には黒いポリエチレン等の合成樹脂やアルミなどの金属、ゴム等の資材からなる。支持部材2は両端開口部のある、遮光性を有する筒状の資材で、具体的には、塩化ビニル樹脂、ポリスチレン、ポリエチレン、ポリプロピレン、ポリエステル、フェノール樹脂、エポキシ樹脂等の合成樹脂類や金属でできたパイプや、筒状に加工した紙、木、竹などがあげられる。筒の長さは15cm〜25cmとし、筒の直径は植物の収穫時の径よりも大きめに設定し、直径2.5cm〜4cmとする。支持部材2の開口部の上方を可動部材1で覆い、可動部材1の頂部を筒内部に5cm〜10cm押し込み、結束バンド3で可動部材1と支持部材2を固定する。（図1参照）。可動部材1と支持部材2を固定するのには針金による巻き付け、あるいは接着剤による接着でも可能である。
【００１７】
萌芽初期の植物4を覆うように、植物の軟白栽培器具1を設置する（図2参照）。植物の茎部が伸長しパイプの長さを超え、押し込んでおいた可動部材１が植物の伸長による押圧力によって押し上げられた収穫適期の植物5を収穫する（図3参照）。次回使用時において、可動部材１の頂部を筒内部に5cm〜10cm押し込み使用する。
【実施例２】
【００１８】
図4は、本発明の第2実施形態の植物の軟白栽培器具2を示す。この植物の軟白栽培器具2は、可動部材6と支持部材7からなる。可動部材6は、遮光性を有する、上方が閉じた構造で、下方が開口した長さ25cm〜35cm、直径2.5cm〜5cmの筒状の資材で、具体的には黒いポリエチレン等の合成樹脂やアルミなどの金属、ゴム等の資材からなる。支持部材7はリング状の部材で、塩化ビニル樹脂、ポリスチレン、ポリエチレン、ポリプロピレン、ポリエステル、フェノール樹脂、エポキシ樹脂等の合成樹脂類や金属、紙、木、竹等からなり、リングの直径は植物の収穫時の径よりも大きめに設定し、直径2.5cm〜4cmとする。可動部材6の下方の開口部と支持部材7を針金による巻き付けや接着剤による接着で固定し、可動部材6の頂部を筒内部に5〜10cm押し込む（図4参照）。
【００１９】
萌芽初期の植物8を覆うように、植物の軟白栽培器具2を設置する（図5参照）。植物の茎部が伸長しパイプの長さを超え、押し込んでおいた可動部材6が植物の茎部の伸長による押圧力によって押し上げられた収穫適期の植物9を収穫する（図6参照）。次回使用時において、可動部材6の頂部を筒内部に5〜10cm押し込み使用する。
【実施例３】
【００２０】
図7は、本発明の第3実施形態の植物の軟白栽培器具3を示す。この植物の軟白栽培器具3は、可動部材10と支持部材11からなる。可動部材10は、遮光性を有する、上方が閉じた構造で、下方が開口した長さ15cm〜25cm、直径3cm〜4.5cmの筒状の資材で、具体的には黒いポリエチレン等の合成樹脂やアルミなどの金属、ゴム等の資材からなる。支持部材11は両端開口部のある、長さ5cm〜15cm、直径2.5cm〜4cmの筒状の資材で、具体的には、塩化ビニル樹脂、ポリスチレン、ポリエチレン、ポリプロピレン、ポリエステル、フェノール樹脂、エポキシ樹脂等の合成樹脂類や金属でできたパイプや、筒状に加工した紙、木、竹などがあげられる。図7に示すように支持部材11に可動部材10を覆い、互いに固定しない。
【００２１】
萌芽初期の植物12を覆うように植物の軟白栽培器具3を設置する（図8参照）。植物が伸長しパイプの長さを超え、可動部材10が植物の茎部の伸長による押圧力によって押し上げられた収穫適期の植物13を収穫する（図9参照）。
【実施例４】
【００２２】
図10は、本発明の第4実施形態の植物の軟白栽培器具4を示す。この植物の軟白栽培器具4は、指示機構18と支持部材19からなる。指示機構18は、目印用部材14、蓋部材15、シャフト16、円盤17からなり、中央にシャフト16の直径より0.1mm〜0.2mm大きい穴を開けた蓋部材15にシャフト16を通し、円盤17の中央とシャフト16の下端を接着剤で接着する。シャフト16の上端と目印用部材14を接着剤で接着する。目印用部材14は合成樹脂や粘土、木、紙等からなり、形状は限定されないが、紡錘状、円筒状、円柱状等で着色もできる。シャフト16は合成樹脂や金属、木等からなり、直径1mm〜3mm、長さ5cm〜15cmで、円盤17は直径1.5cm〜3.5cmの合成樹脂や金属、木、紙等からなる。支持部材19は両端開口部のある、遮光性を有する筒状の資材で、具体的には、塩化ビニル樹脂、ポリスチレン、ポリエチレン、ポリプロピレン、ポリエステル、フェノール樹脂、エポキシ樹脂等の合成樹脂類や金属でできたパイプや、筒状に加工した紙、木、竹などがあげられる。筒の長さは20cm〜40cmとし、筒の直径は植物の収穫時の径よりも大きめに設定し、直径2.5cm〜4cmとする。支持部材19の開口部の上方に指示機構18を付設する。
【００２３】
図11に示すように萌芽初期の植物20を覆うように植物の軟白栽培器具4を設置させ、指示機構18を下げておく。植物が伸長しパイプの長さを超え、下げておいた指示機構18が植物の茎部の伸長による押圧力によって押し上げられた収穫適期の植物21を収穫する（図12参照）。次回使用時において、指示機構18を下げて使用する。
【００２４】
第2実施形態の植物の軟白栽培器具2及び第3実施形態の植物の軟白栽培器具3において収穫後、可動部材6、可動部材10の開口部を閉じ、出荷する。
【図面の簡単な説明】
【００２５】
【図１】植物の軟白栽培器具の斜視図である。
【図２】植物の軟白栽培器具を植物の萌芽時に設置する状態を表す斜視図である。
【図３】植物の茎部が伸長し収穫適期になったときの状態を表す斜視図である。
【図４】植物の軟白栽培器具の斜視図である。
【図５】植物の軟白栽培器具を植物の萌芽時に設置する状態を表す斜視図である。
【図６】植物の茎部が伸長し収穫適期になったときの状態を表す斜視図である。
【図７】植物の軟白栽培器具の斜視図である。
【図８】植物の軟白栽培器具を植物の萌芽時に設置する状態を表す斜視図である。
【図９】植物の茎部が伸長し収穫適期になったときの状態を表す斜視図である。
【図１０】植物の軟白栽培器具の斜視図である。
【図１１】植物の軟白栽培器具を植物の萌芽時に設置する状態を表す斜視図である。
【図１２】植物の茎部が伸長し収穫適期になったときの状態を表す斜視図である。
【符号の説明】
【００２６】
1 可動部材
2 支持部材
【図１】
2005269948.tif 000003
【図２】
2005269948.tif 000004
【図３】
2005269948.tif 000005
【図４】
2005269948.tif 000006
【図５】
2005269948.tif 000007
【図６】
2005269948.tif 000008
【図７】
2005269948.tif 000009
【図８】
2005269948.tif 000010
【図９】
2005269948.tif 000011
【図１０】
2005269948.tif 000012
【図１１】
2005269948.tif 000013
【図１２】
2005269948.tif 000014